(57)【要約】      （修正有）【課題】コンパクトで簡素な構造で、扉を開いたときの扉内壁部を、取付部材の内壁部よりも外側に位置させることができるヒンジを提供する。【解決手段】ケース２０の開口部近傍の側板２１の内側に取付けられ、前記側板に平行な第１回動軸１２を有するヒンジ本体１１と、前記第１回動軸に基部が支持され、先端部に前記第１回動軸と平行な第２回動軸１３を有し、前記第２回動軸を前記側板の内側に位置させる扉閉じ位置と、前記第２回動軸を前記側板の外側に位置させる扉開き位置とに回動する第１アーム１４と、前記第２回動軸に回動可能に支持され、前記ケースの扉の基部３０ａを取付ける扉取付部１５ａを有し、前記第１アームが扉閉じ位置にあるとき前記扉の基端部の内側縁部を前記ケースの側板の前縁部に位置させ、前記第１アームが扉開き位置にあるとき前記扉を前記側板の外側に位置させるように、前記扉取付部で前記扉を支持する第２アーム１５と、を備える。【選択図】図１
0003160810.tif 000002
【実用新案登録請求の範囲】
【請求項１】
ケースの開口部近傍の側板内側に取付けられ、前記側板に平行な第１回動軸を有するヒンジ本体と、
前記第１回動軸に基部が支持され、先端部に前記第１回動軸と平行な第２回動軸を有し、前記第２回動軸を前記側板の内側に位置させる扉閉じ位置と、前記第２回動軸を前記側板の外側に位置させる扉開き位置とに回動する第１アームと、
前記第２回動軸に回動可能に支持され、前記ケースの扉の基部を取付ける扉取付部を有し、前記第１アームが扉閉じ位置にあるとき前記扉の基端部の内側縁部を前記ケースの側板の前縁部に位置させ、前記第１アームが扉開き位置にあるとき前記扉を前記側板の外側に位置させるように、前記扉取付部で前記扉を支持する第２アームと、
を備えることを特徴とするヒンジ。
【請求項２】
前記第１アームが扉閉じ位置にあるとき、前記扉の基端部の内側縁部が前記ケースの側板の前縁部に当接しており、前記扉を開くとき、前記扉の基端部の内側縁部が前記ケースの側板の前縁部により押圧され、前記第２アームが前記第１アームと逆方向に回動することを特徴とする請求項１に記載のヒンジ。
【請求項３】
前記ヒンジ本体にカムを設置し、前記第２アームに前記カムに接触する接触子を取付け、前記扉を開くとき、前記カムにより前記接触子を動作させて前記第２アームを前記第１アームと逆方向に回動させることを特徴とする請求項１に記載のヒンジ。
【請求項４】
前記第１アームは、扉閉じ位置にあるとき、前記ヒンジ本体内に格納されることを特徴とする請求項１、２または３に記載のヒンジ。
【請求項５】
前記第１アームは、扉開き位置にあるとき、前記ケースの側板の前縁部に干渉しないように、鉤形に形成されていることを特徴とする請求項１〜４のいずれか一つに記載のヒンジ。
【考案の詳細な説明】
【技術分野】
【０００１】
本考案は、扉を、電子機器のケース等の筐体に開閉自在に取付けるヒンジに関するものである。
【背景技術】
【０００２】
従来、扉を取着するソケットと、移動プレートを備えたヒンジ本体とがアーム等を介して回動により開閉自在に連結されているヒンジ部材と、扉の取付部材に取着されるプレート部材が脱着自在なるよう連結されるよう構成されているヒンジにおいて、上記ヒンジ部材及びプレート部材のうち、何れか一方部材の前部と後部にファスナーピンを夫々取着し、他方部材の前部と後部に、対向もしくは対称に開口する掛止凹部を設けたロック部材とロック兼レバー部材とを夫々回転自在に枢着すると共に、該両部材が対称的に回転連動可能にして、かつ、上記各ファスナーピンに同期して掛け外し可能なるよう両部材相互を対向端にて回転自在なるよう連結し、当該部材を、その各ファスナーピンに対する掛止が保持される方向へスプリングにて付勢させたスライドヒンジがある（例えば、特許文献１参照）。
【先行技術文献】
【特許文献】
【０００３】
【特許文献１】特公平５−５７３９４号公報
【考案の概要】
【考案が解決しようとする課題】
【０００４】
しかしながら、上記の従来のヒンジは、木製家具用であり、扉の取付部材（側板）の厚さは、木材の基準厚さ分を必要とするので、コンパクトな扉付きケース用としては不向きであった。また、特許文献１のヒンジを、電子機器を取り出し自在に収納する電子機器用のケースに適用した場合、特許文献１のヒンジにおいては、扉を開いたときの扉内壁部が、扉の取付部材（側板）の内壁部よりも内側に位置するので、ケース内の取付部材の近傍に格納した電子機器等を前方へ取出すときの障害になる、という問題があった。
【０００５】
本考案は、上記に鑑みてなされたものであって、電子機器等の設置の邪魔にならないようにコンパクトで簡素な構造で、板厚の薄い取付部材（側板）にも取付可能であり、また、扉を開いたときの扉内壁部を、取付部材（側板）の内壁部よりも外側に位置させることができるヒンジを得ることを目的とする。
【課題を解決するための手段】
【０００６】
上述した課題を解決し、目的を達成するために、本考案は、ケースの開口部近傍の側板内側に取付けられ、前記側板に平行な第１回動軸を有するヒンジ本体と、前記第１回動軸に基部が支持され、先端部に前記第１回動軸と平行な第２回動軸を有し、前記第２回動軸を前記側板の内側に位置させる扉閉じ位置と、前記第２回動軸を前記側板の外側に位置させる扉開き位置とに回動する第１アームと、前記第２回動軸に回動可能に支持され、前記ケースの扉の基部を取付ける扉取付部を有し、前記第１アームが扉閉じ位置にあるとき前記扉の基端部の内側縁部を前記ケースの側板の前縁部に位置させ、前記第１アームが扉開き位置にあるとき前記扉を前記側板の外側に位置させるように、前記扉取付部で前記扉を支持する第２アームと、を備えることを特徴とする。
【考案の効果】
【０００７】
本考案にかかるヒンジは、板厚の薄い取付部材（側板）にも取付可能であり、また、扉を開いたときの扉内壁部を、取付部材の内壁部よりも外側に位置させることができ、ケース内の取付部材（側板）の近傍に格納した電子機器等を容易に前方へ取出すことができる、という効果を奏する。
【図面の簡単な説明】
【０００８】
【図１】図１は、本考案にかかるヒンジの実施例１の扉を閉めた状態を示す上面図である。
【図２】図２は、扉を閉めた状態を示す正面図である。
【図３】図３は、扉を閉めた状態を示す側面図である。
【図４】図４は、扉を開いた状態を示す上面図である。
【図５】図５は、本考案にかかるヒンジの実施例２の扉を閉めた状態を示す上面図である。
【図６】図６は、扉を閉めた状態を示す正面図である。
【図７】図７は、扉を閉めた状態を示す側面図である。
【図８】図８は、扉を開いた状態を示す上面図である。
【図９】図９は、本考案にかかるヒンジの実施例３の扉を閉めた状態を示す上面図である。
【図１０】図１０は、扉を閉めた状態を示す正面図である。
【図１１】図１１は、扉を閉めた状態を示す側面図である。
【図１２】図１２は、扉を開いた状態を示す上面図である。
【考案を実施するための形態】
【０００９】
以下に、本考案にかかるヒンジの実施例を図面に基づいて詳細に説明する。なお、この実施例によりこの考案が限定されるものではない。
【実施例１】
【００１０】
図１は、本考案にかかるヒンジの実施例１の扉を閉めた状態を示す上面図であり、図２は、扉を閉めた状態を示す正面図であり、図３は、扉を閉めた状態を示す側面図であり、図４は、扉を開いた状態を示す上面図である。
【００１１】
図１〜図４に示すように、実施例１のヒンジ１０は、ケース２０の側板２１に取付ける側板取付部１１ａ、１１ａ及び側板２１に平行な第１回動軸１２を有し、ケース２０の開口部２２近傍の側板２１内側に取付けられる板金製のヒンジ本体１１と、第１回動軸１２に基部（第１軸受部１４ａ）が支持され、先端部（第２軸受部１４ｃ）に第１回動軸１２と平行な第２回動軸１３を有する板金製の第１アーム１４と、第２回動軸１３に約５°の少回動が可能に支持され、ケースの扉３０の基部３０ａを取付ける扉取付部１５ａ、１５ａを有する板金製の第２アーム１５と、を備えている。
【００１２】
ヒンジ本体１１は、直方体の箱状に形成され、正面１１ｘと一側面１１ｙが開口している。胴体板１１ｂ、１１ｂの一側面１１ｙ側の背面１１ｚ側縁部から外側へ開くように略矩形の側板取付部１１ａ、１１ａが折り曲げ形成されている。側板取付部１１ａ、１１ａの正面１１ｘ側の胴体板１１ｂ、１１ｂの軸孔に第１回動軸１２が取付けられている。胴体板１１ｂ、１１ｂの正面１１ｘ側の一側面１１ｙ側縁部から内側に折り曲げて略矩形の第１アームストッパ１１ｄ、１１ｄが形成されている。
【００１３】
第１アーム１４は、板金を鉤形に折り曲げて形成され、基部に第１回動軸１２の第１軸受部１４ａ、１４ａが折り曲げ形成された基アーム部１４ｂと、基アーム部１４ｂから直角に折れ曲がり先端部に第２回動軸１３の第２軸受部１４ｃ、１４ｃが折り曲げ形成された先アーム部１４ｄとから成っている。第１アーム１４は、箱状のヒンジ本体１１内に格納されている。
【００１４】
第１アーム１４は、第１回動軸１２に第１軸受部１４ａ、１４ａが支持され、第２軸受部１４ｃ、１４ｃで第２回動軸１３を支持し、第２回動軸１３をケース２０の側板２１の内側に位置させる扉３０の閉じ位置と、第２回動軸１３を側板２１の外側に位置させる扉３０の開き位置とに回動する。
【００１５】
図１に示すように、第１アーム１４が、扉３０の閉じ位置にあるとき、基アーム部１４ｂは、ヒンジ本体１１内で、ケース２０の側板２１と直交する方向に延在し、先アーム部１４ｄは、ヒンジ本体１１内で、ケース２０の側板２１と平行する方向に延在し、第２軸受部１４ｃ、１４ｃをケース２０外へ突出させている。
【００１６】
図４に示すように、第１アーム１４が、扉３０の開き最大位置まで回動すると、基アーム部１４ｂがヒンジ本体１１の第１アームストッパ１１ｄ、１１ｄに当接して回り止めされる。
【００１７】
第２アーム１５は、板金を略コ字形に折り曲げて形成され、コ字形の両側部がアーム部１５ｂ、１５ｂ（図４参照）を構成し、コ字形の背部が繋ぎ部１５ｃ（図３参照）を構成している。アーム部１５ｂ、１５ｂの前部に軸孔１５ｄ、１５ｄ（図４参照）が設けられている。第２アーム１５は、第１アーム１４の第２軸受部１４ｃ、１４ｃの間に挿入され、軸孔１５ｄ、１５ｄに第２回動軸１３が挿通されている。軸孔１５ｄ、１５ｄの前方のアーム部１５ｂ、１５ｂは、外側に折り曲げられて扉取付部１５ａ、１５ａを形成している。
【００１８】
第２回動軸１３に捩じりばね１６が装着され、捩じりばね１６の一端１６ａが第１アーム１４の先アーム部１４ｄの先端部に係止され、他端１６ｂが第２アーム１５の繋ぎ部１５ｃに係止されている。捩じりばね１６は、第１アーム１４の先アーム部１４ｄの先端部に反力をとって第２アーム１５を第１アーム１４の先アーム部１４ｄに押し付けるように付勢している。
【００１９】
図４に示すように、第２アーム１５のアーム部１５ｂ、１５ｂの後部には、位置決めストッパ１５ｅ、１５ｅ及び回転ストッパ１５ｆ、１５ｆが形成されている。位置決めストッパ１５ｅ、１５ｅは、捩じりばね１６により第２アーム１５が第１アーム１４の先アーム部１４ｄに向って押圧されると先アーム部１４ｄに当接し、第２アーム１５を先アーム部１４ｄに略平行状態に保持する。
【００２０】
回転ストッパ１５ｆ、１５ｆは、第２アーム１５が捩じりばね１６の付勢方向と反対方向に約５°回転すると、第１アーム１４の基アーム部１４ｂに形成された段部１４ｅに当接し、それ以上回転しないようになっている。
【００２１】
ヒンジ本体１１は、ケース２０の開口部２２の近傍の側板２１の内側に設けられた台座２３上に、側板取付部１１ａ、１１ａを設置して取付けられる。取付けられた状態で、ヒンジ本体１１の前端部である第１アームストッパ１１ｄ、１１ｄを、ケース２０の開口部２２の内側に位置させるようにする。
【００２２】
図１に示すように、第１アーム１４を、扉３０の閉じ位置に位置させた状態で、扉３０の基端部３０ｃの内側縁部３０ｂを、ケース２０の側板２１の前縁部２１ａに当接させるようにして、扉３０の台座３１と第２アーム１５の扉取付部１５ａとを締結する。ヒンジ１０を、ケース２０の側板２１の上下２ヶ所に設置して扉３０を開閉させるようにする。
【００２３】
次に、ヒンジ１０の作用動作について説明する。図１に示すように、第１アーム１４が扉３０の閉じ位置に位置しているとき、扉３０の基端部３０ｃの内側縁部３０ｂは、ケース２０の側板２１の前縁部２１ａに当接している。扉３０を開くときは、第１アーム１４、第２アーム１５及び扉３０が、第１回動軸１２を回動中心として、図１の時計回りに回動する。
【００２４】
扉３０の基端部３０ｃの内側縁部３０ｂの移動軌跡は、第１回動軸１２を中心とする円弧となり、第１回動軸１２が側板２１の内側に位置しているので、内側縁部３０ｂの移動軌跡成分は、側板２１押圧方向成分と側板２１直角方向成分とを有している。
【００２５】
第１アーム１４と扉３０とが剛体結合されていると、側板２１押圧方向成分により、扉３０は時計回りに回動することができないが、第１アーム１４と第２アーム１５が回動可能に連結しているので、扉３０の基端部３０ｃの内側縁部３０ｂが側板２１の前縁部２１ａに押圧され、扉３０が第２回動軸１３を中心に反時計回りに回動し、側板２１押圧方向成分を解消して扉３０を時計回りに回動させる。
【００２６】
図４に示すように、第１アーム１４及び扉３０を時計回りに略９０°回動させると、扉３０全体をケース２０の側板２１の外側に位置させることができる。扉３０を９０°以上回動させようとすると、第１アーム１４の基アーム部１４ｂがヒンジ本体１１の第１アームストッパ１１ｄ、１１ｄに当接し、扉３０が開き過ぎないようにしている。
【００２７】
扉３０を開くとき、扉３０の基端部３０ｃの内側縁部３０ｂがケース２０の側板２１の前縁部２１ａにより押圧され、第２アーム１５が第１アーム１４の回動方向と逆方向に回動するので、扉３０の基端部３０ｃの内側縁部３０ｂがケース２０の側板２１の前縁部２１ａに当接していても、扉３０に無理な力をかけずに開くことができる。
【００２８】
第１アーム１４は、扉閉じ位置にあるとき、ヒンジ本体１１内に格納されるので、製品としてのまとまりがよく、第１アーム１４に無理な力がかかって変形してしまうようなことがない。また、第１アーム１４は、鉤形（Ｌ字形）に形成されているので、扉開き位置にあるとき、ケース２０の側板２１の前縁部２１ａに干渉することはない。
【００２９】
実施例１のヒンジ１０は、板厚の薄い側板２１にも取付可能であり、また、扉３０を開いたときの内側縁部３０ｂ（扉内壁部）を、側板２１（取付部材）の内壁部よりも外側に位置させることができ、図４に示すように、ケース２０内の側板２１の近傍に格納したＨＤＤ（Ｈａｒｄ  Ｄｉｓｋ  Ｄｒｉｖｅ）４０等の電子機器を容易に前方へ取出すことができる。
【実施例２】
【００３０】
図５は、本考案にかかるヒンジの実施例２の扉を閉めた状態を示す上面図であり、図６は、扉を閉めた状態を示す正面図であり、図７は、扉を閉めた状態を示す側面図であり、図８は、扉を開いた状態を示す上面図である。
【００３１】
図５〜図８に示すように、実施例２のヒンジ５０は、ケースの側板に取付ける側板取付部５１ａ、５１ａ及び側板に平行な第１回動軸１２を有し、ケースの開口部近傍の側板内側に取付けられる板金製のヒンジ本体５１と、第１回動軸１２に基部（第１軸受部１４ａ）が支持され、先端部（第２軸受部１４ｃ）に第１回動軸１２と平行な第２回動軸１３を有する板金製の第１アーム１４と、第２回動軸１３に約５°の少回動が可能に支持され、ケースの扉の基部を取付ける扉取付部１５ａ、１５ａを有する板金製の第２アーム１５と、を備えている。
【００３２】
ヒンジ本体５１は、略台形の箱状に形成され、正面５１ｘと一側面５１ｙが開口している。胴体板５１ｂ、５１ｂの一側面５１ｙ側の背面５１ｚ側縁部から外側へ開くように略矩形の側板取付部５１ａ、５１ａが折り曲げ形成されている。側板取付部５１ａ、５１ａの正面５１ｘ側の胴体板５１ｂ、５１ｂの軸孔に第１回動軸１２が取付けられている。胴体板５１ｂ、５１ｂの正面５１ｘ側の一側面５１ｙ側縁部から内側に折り曲げて略矩形の第１アームストッパ５１ｄ、５１ｄが形成されている。
【００３３】
第１アーム１４及び第２アーム１５は、実施例１のものと同一であるので詳細な説明は省略する。ヒンジ本体５１は、小形に形成されているので、第１アーム１４の基アーム部１４ｂの一部のみが、箱状のヒンジ本体５１内に格納され、先アーム部１４ｄ及び第２アーム１５は、ヒンジ本体５１外に露出している。
【００３４】
実施例２のヒンジ５０は、ケース２０の板厚の薄い側板２１にも取付可能であり、また、扉３０を開いたときの内側縁部３０ｂ（扉内壁部）を、側板２１（取付部材）の内壁部よりも外側に位置させることができ、ケース２０内の側板２１の近傍に格納したＨＤＤ（Ｈａｒｄ  Ｄｉｓｋ  Ｄｒｉｖｅ）４０等の電子機器を容易に前方へ取出すことができる。
【実施例３】
【００３５】
図９は、本考案にかかるヒンジの実施例３の扉を閉めた状態を示す上面図であり、図１０は、扉を閉めた状態を示す正面図であり、図１１は、扉を閉めた状態を示す側面図であり、図１２は、扉を開いた状態を示す上面図である。
【００３６】
図９〜図１２に示すように、実施例３のヒンジ７０は、ケース２０の側板２１に取付ける側板取付部７１ａ、７１ａ及び側板２１に平行な第１回動軸７２を有し、ケース２０の開口部２２近傍の側板２１内側に取付けられる板金製のヒンジ本体７１と、第１回動軸７２に基部（第１軸受部７４ａ）が支持され、先端部（第２軸受部７４ｃ）に第１回動軸７２と平行な第２回動軸７３を有する板金製の第１アーム７４と、第２回動軸７３に約２０°の回動が可能に支持され、ケースの扉３０の基部３０ａを取付ける扉取付部７５ａ、７５ａを有する板金製の第２アーム７５と、を備えている。
【００３７】
ヒンジ本体７１は、直方体の箱状に形成され、正面７１ｘと一側面７１ｙが開口している。胴体板７１ｂ、７１ｂの一側面７１ｙ側の背面７１ｚ側縁部から外側へ開くように略矩形の側板取付部７１ａ、７１ａが折り曲げ形成されている。側板取付部７１ａ、７１ａの正面７１ｘ側の胴体板７１ｂ、７１ｂの軸孔に第１回動軸７２が取付けられている。胴体板７１ｂ、７１ｂの正面７１ｘ側の一側面７１ｙ側縁部から内側に折り曲げて略矩形の第１アームストッパ７１ｄ、７１ｄが形成されている。
【００３８】
第１アーム７４は、板金を鉤形（Ｌ字形）に折り曲げて形成され、基部に第１回動軸７２の第１軸受部７４ａ、７４ａが折り曲げ形成された基アーム部７４ｂと、基アーム部７４ｂから略直角に折れ曲がり先端部に第２回動軸７３の第２軸受部７４ｃ、７４ｃが折り曲げ形成された先アーム部７４ｄとから成っている。第１アーム７４は、箱状のヒンジ本体７１内に格納されている。
【００３９】
第１アーム７４は、第１回動軸７２に第１軸受部７４ａ、７４ａが支持され、第２軸受部７４ｃ、７４ｃで第２回動軸７３を支持し、第２回動軸７３をケース２０の側板２１の内側に位置させる扉３０の閉じ位置と、第２回動軸７３を側板２１の外側に位置させる扉３０の開き位置とに回動する。
【００４０】
図９に示すように、第１アーム７４が、扉３０の閉じ位置にあるとき、基アーム部７４ｂは、ヒンジ本体７１内で、ケース２０の側板２１と直交する方向に延在し、先アーム部７４ｄは、ヒンジ本体７１内で、ケース２０の側板２１と平行する方向に延在し、第２軸受部７４ｃ、７４ｃをケース２０外へ突出させている。
【００４１】
図１２に示すように、第１アーム７４が、扉３０の開き最大位置まで回動すると、基アーム部７４ｂがヒンジ本体７１の第１アームストッパ７１ｄ、７１ｄに当接して回り止めされる。
【００４２】
第２アーム７５は、板金を略コ字形に折り曲げて形成され、コ字形の両側部がアーム部７５ｂ、７５ｂを構成し、コ字形の背部が繋ぎ部７５ｃを構成している。アーム部７５ｂ、７５ｂの前部に軸孔７５ｄ、７５ｄが設けられている。第２アーム７５は、第１アーム７４の第２軸受部７４ｃ、７４ｃの間に挿入され、軸孔７５ｄ、７５ｄに第２回動軸７３が挿通されている。軸孔７５ｄ、７５ｄの前方のアーム部７５ｂ、７５ｂは、外側に折り曲げられて扉取付部７５ａ、７５ａを形成している。
【００４３】
第２回動軸７３に捩じりばね７６が装着され、捩じりばね７６の一端７６ａが第１アーム７４の先アーム部７４ｄの先端部に係止され、他端７６ｂが第２アーム７５の繋ぎ部７５ｃに係止されている。捩じりばね７６は、第１アーム７４の先アーム部７４ｄの先端部に反力をとって第２アーム７５を第１アーム７４の先アーム部７４ｄに押し付けるように付勢している。
【００４４】
第２アーム７５のアーム部７５ｂ、７５ｂの後部には、位置決めストッパ７５ｅ、７５ｅが形成されている。位置決めストッパ７５ｅ、７５ｅは、捩じりばね７６により第２アーム７５が第１アーム７４の先アーム部７４ｄに向って押圧されると先アーム部７４ｄに当接し、第２アーム７５を先アーム部７４ｄに略平行状態に保持する。
【００４５】
次に、実施例３のヒンジ７０の特徴的な構成について説明する。実施例３のヒンジ本体７１は、実施例１のヒンジ本体１１に比べ、高さが高く形成されている。ヒンジ本体７１の背板７１ｃの内側には、前後方向にカム板（カム）７１ｇが取付けられている。カム板７１ｇは、中央部が膨らむ山形形状になっている。第２アーム７５の片側のアーム部７５ｂが後方へ延びてカム板７１ｇ側へ屈曲し、屈曲部にカム接触子７５ｉが取付けられている。
【００４６】
ヒンジ本体７１は、ケース２０の開口部２２近傍の側板２１内側に設けられた台座２３上に、側板取付部７１ａ、７１ａを設置して取付けられる。取付けられた状態で、ヒンジ本体７１の前端部である第１アームストッパ７１ｄ、７１ｄを、ケース２０の開口部２２の内側に位置させるようにする。
【００４７】
図９に示すように、第１アーム７４を、扉３０の閉じ位置に位置させた状態で、扉３０の基部３０ａの内側縁部３０ｂを、ケース２０の側板２１の前縁部２１ａに当接させるようにして、扉３０の台座３１と第２アーム７５の扉取付部７５ａ、７５ａとを締結する。ヒンジ７０を、ケース２０の側板２１の上下２ヶ所に設置して扉３０を開閉させるようにする。
【００４８】
次に、ヒンジ７０の作用動作につて説明する。図９に示すように、第１アーム７４が扉３０の閉じ位置に位置しているとき、扉３０の基端部３０ｃの内側縁部３０ｂは、ケース２０の側板２１の前縁部２１ａに当接している。扉３０を開くときは、第１アーム７４、第２アーム７５及び扉３０が、第１回動軸７２を回動中心として、図９の時計回りに回動する。
【００４９】
扉３０の基端部３０ｃの内側縁部３０ｂの移動軌跡は、第１回動軸７２を中心とする時計回りの円弧となり、第１回動軸７２が側板２１の内側に位置しているので、内側縁部３０ｂの移動軌跡成分に側板２１押圧方向成分と側板２１直角方向成分がある。
【００５０】
第１アーム７４と扉３０とが剛体結合されていると、側板２１押圧方向成分が、ケース２０の側板２１の前縁部２１ａにより反力を受け、扉３０は時計回りに回動することができないが、第１アーム７４と第２アーム７５が回動可能に連結され、扉３０の時計回りの回動に伴ってカム接触子７５ｉがカム板７１ｇに押され、第２アーム７５を第２回動軸７３を中心に反時計回りに回動させ、扉３０が第２回動軸７３を中心に反時計回りに回動し、側板２１押圧方向成分を解消して扉３０が時計回りに回動することができる。
【００５１】
図１２に示すように、第１アーム７４及び扉３０を時計回りに略９０°回動させると、扉３０全体をケース２０の側板２１の外側に位置させることができる。扉３０を９０°以上回動させようとすると、第１アーム７４の基アーム部７４ｂがヒンジ本体７１の第１アームストッパ７１ｄ、７１ｄに当接し、扉３０が開き過ぎないようにしている。
【００５２】
扉３０を開くとき、扉３０が第２回動軸７３を中心に反時計回りに回動し、扉３０の基端部３０ｃの内側縁部３０ｂを、ケース２０の側板２１の前縁部２１ａから離間させるので、内側縁部３０ｂと前縁部２１ａが擦りあって塗装が剥がれたり、摩耗したりすることがない。
【００５３】
実施例３のヒンジ７０は、板厚の薄い側板２１にも取付可能であり、また、扉３０を開いたときの内側縁部３０ｂ（扉内壁部）を、側板２１（取付部材）の内壁部よりも外側に位置させることができ、ケース２０内の側板２１の近傍に格納したＨＤＤ（Ｈａｒｄ  Ｄｉｓｋ  Ｄｒｉｖｅ）４０等の電子機器を容易に前方へ取出すことができる。
【産業上の利用可能性】
【００５４】
以上のように、本考案にかかるヒンジは、扉を、電子機器のケース等の筐体に開閉自在に取付けるヒンジとして有用である。
【符号の説明】
【００５５】
１０，５０，７０  ヒンジ
１１，５１，７１  ヒンジ本体
１１ａ，５１ａ，７１ａ  側板取付部
１１ｂ，５１ｂ，７１ｂ  胴体板
７１ｃ  背板
１１ｄ，５１ｄ，７１ｄ  第１アームストッパ
７１ｇ  カム板（カム）
７５ｉ  カム接触子（接触子）
１１ｘ，５１ｘ，７１ｘ  正面
１１ｙ，５１ｙ，７１ｙ  一側面
１１ｚ，５１ｚ，７１ｚ  背面
１２，７２  第１回動軸
１３，７３  第２回動軸
１４，７４  第１アーム
１４ａ，７４ａ  第１軸受部
１４ｂ，７４ｂ  基アーム部
１４ｃ，７４ｃ  第２軸受部
１４ｄ，７４ｄ  先アーム部
１４ｅ  段部
１５，７５  第２アーム
１５ａ，７５ａ  扉取付部
１５ｂ，７５ｂ  アーム部
１５ｃ，７５ｃ  繋ぎ部
１５ｄ，７５ｄ  軸孔
１５ｅ，７５ｅ  位置決めストッパ
１５ｆ  回転ストッパ
１６，７６  捩じりばね
１６ａ，７６ａ  捩じりばねの一端
１６ｂ，７６ｂ  捩じりばねの他端
２０  ケース
２１  側板
２１ａ  前縁部
２２  開口部
２３  台座
３０  扉
３０ａ  基部
３０ｂ  内側縁部
３０ｃ  基端部
３１  台座
４０  ＨＤＤ（電子機器）
【図１】
0003160810.tif 000003
【図２】
0003160810.tif 000004
【図３】
0003160810.tif 000005
【図４】
0003160810.tif 000006
【図５】
0003160810.tif 000007
【図６】
0003160810.tif 000008
【図７】
0003160810.tif 000009
【図８】
0003160810.tif 000010
【図９】
0003160810.tif 000011
【図１０】
0003160810.tif 000012
【図１１】
0003160810.tif 000013
【図１２】
0003160810.tif 000014